(57)【特許請求の範囲】
【請求項１】
第１の通信周波数帯域および第２の通信周波数帯域を含む複数の通信周波数帯域の信号を通信するためのアンテナ装置であって、
第１の通信周波数帯域の信号を通信する第１の無線部と、
第２の通信周波数帯域の信号を通信する第２の無線部と、
前記第１の通信周波数帯域では前記第１の無線部に通電可能に接続され、前記第２の通信周波数帯域では第２の無線部に通電可能に接続される第１の共用器と、
一端が接地される第１のリアクタンス回路と、
前記第１の通信周波数帯域を遮断し、前記第２の通信周波数帯を通過させる第２のリアクタンス回路と、
一端が前記共用器に接続され、他端が前記第２のリアクタンス回路の一端に接続される第１のアンテナ素子と、
一端が前記第２のリアクタンス回路の他端に接続され、他端が前記第１のリアクタンス回路の他端に接続される第２のアンテナ素子と、
第３の通信周波数帯域の信号を通信するための第３の無線部と、
前記第２のアンテナ素子に接続され、かつ、前記第２の通信周波数帯域では前記第１のリアクタンス回路の一端に通電可能に接続され、前記第３の通信周波数帯域では前記第３の通信部に通電可能に接続される第２の共用器と、
を有し、
前記第２のアンテナ素子は、前記第２の共用器を介して前記第１のリアクタンス回路に接続され、
前記第１の通信周波数帯域では、前記第１のアンテナ素子が第１のモノポールアンテナとして動作し、
前記第１の通信周波数帯域よりも低い前記第２の通信周波数帯域では、前記第１のアンテナ素子と前記第２のアンテナ素子とが共にループアンテナとして動作し、
前記第１の通信周波数帯域よりも低く前記第２の通信周波数帯域とは異なる前記第３の通信周波数帯域では、前記第２のアンテナ素子が第２のモノポールアンテナとして動作するアンテナ装置。
【請求項２】
請求項１に記載のアンテナ装置であって、
前記第３の通信周波数帯域が、前記第１の通信周波数帯域に等しいアンテナ装置。
【請求項３】
請求項１または２に記載のアンテナ装置であって、
前記第１のリアクタンス回路は、可変キャパシタを有するアンテナ装置。
【請求項４】
請求項１ないし３のいずれか１項に記載のアンテナ装置であって、
前記第１のリアクタンス回路は、複数のリアクタンス素子を有し、前記複数の通信周波数帯域の中で使用する周波数に応じて前記複数のリアクタンス素子から選択されるアンテナ装置。
【請求項５】
請求項１ないし４のいずれか１項に記載のアンテナ装置を備えた携帯無線機。
【発明の詳細な説明】
【技術分野】
【０００１】
本発明は、複数の通信周波数帯域を利用した通信が可能なアンテナ装置、及びこれを用いた携帯無線機に関するものである。
【背景技術】
【０００２】
近年、例えば携帯電話機などの携帯無線機は、小型化が進み、これに伴ってアンテナについても小型のものが求められている。
【０００３】
また、近年の携帯無線機は、通話や電子メールの送受信などに利用される無線通信の他、例えばテレビジョン放送受信、Ｂｌｕｅｔｏｏｔｈによる通信、ワイヤレスＬＡＮによる通信、セキュリティキーなどの外部装置との近距離無線通信を行うために、複数の無線通信アプリケーションを備えるようになってきている。これらの複数の無線通信アプリケーションを同時に動作させるためには、無線通信アプリケーションごとに別々のアンテナ素子を携帯無線機に設ける必要がある。
【０００４】
しかしながら、今後ますます多くの無線通信アプリケーションが携帯無線機に搭載されることが予想され、無線通信アプリケーションごとに別々のアンテナ素子を設けてなければならない場合、携帯無線機の小型化、軽量化が困難となる。このため、複数の無線通信アプリケーションを同時に動作させることができる小型、軽量なアンテナ装置、およびこれを用いた携帯無線機が求められている。
【０００５】
従来のアンテナ装置の一例として、アンテナ素子に複数の給電部を設け、一方を選択して給電した場合に他方の給電部には所定のインピーダンスを接続して共振周波数を切り替えるように構成されたものが知られている。このような構成のアンテナでは、不要な給電部および不要な素子の一部を電気的に切断可能である（例えば、特許文献１参照）。
【０００６】
また、従来のアンテナ装置の他の一例として、アンテナ素子の給電部と開放端部を切り替えるように構成されたものが知られている。このような構成のアンテナでは、指向性ダイバーシチおよび偏波ダイバーシチ効果が得られる（例えば、特許文献２参照）。
【０００７】
【特許文献１】特開平１１−１６３６２０号公報
【特許文献２】国際公開第０２／０３９５４４号パンフレット
【発明の開示】
【発明が解決しようとする課題】
【０００８】
しかしながら、特許文献１に開示されている従来のアンテナにおいては、複数の周波数帯域に対応してはいるが、アンテナの給電点を選択的に切り替えるために、ある時刻では１つの共振周波数しか得られず、複数の無線通信アプリケーションを同時には動作できない。
【０００９】
特許文献２に開示されている従来のアンテナでは、給電部と開放端部を切り替えることで１つのアンテナ素子であっても異なる電流分布を形成できるが、複数の周波数帯域には対応できない。また、給電部と開放端部を切り替えるため、同時に動作させることができない。
【００１０】
本発明は、上記事情に鑑みてなされたものであって、複数の無線通信アプリケーションを同時に動作させることができる小型なアンテナ装置、及びこれを用いた携帯無線機を提供することを目的とする。
【課題を解決するための手段】
【００１１】
上記目的を達成するために、本発明のアンテナ装置は、第１の通信周波数帯域および第２の通信周波数帯域を含む複数の通信周波数帯域の信号を通信するためのアンテナ装置であって、第１の通信周波数帯域の信号を通信する第１の無線部と、第２の通信周波数帯域の信号を通信する第２の無線部と、記第１の通信周波数帯域では前記第１の無線部に通電可能に接続され、前記第２の通信周波数帯域では第２の無線部に通電可能に接続される第１の共用器と、一端が接地される第１のリアクタンス回路と、記第１の通信周波数帯域を遮断し、前記第２の通信周波数帯を通過させる第２のリアクタンス回路と、一端が前記共用器に接続され、他端が前記第２のリアクタンス回路の一端に接続される第１のアンテナ素子と、一端が前記第２のリアクタンス回路の他端に接続され、他端が前記第１のリアクタンス回路の他端に接続される第２のアンテナ素子と、第３の通信周波数帯域の信号を通信するための第３の無線部と、前記第２のアンテナ素子に接続され、かつ、前記第２の通信周波数帯域では前記第１のリアクタンス回路の一端に通電可能に接続され、前記第３の通信周波数帯域では前記第３の通信部に通電可能に接続される第２の共用器と、を有し、前記第２のアンテナ素子が、前記第２の共用器を介して前記第１のリアクタンス回路に接続され、前記第１の通信周波数帯域では、前記第１のアンテナ素子が第１のモノポールアンテナとして動作し、前記第１の通信周波数帯域よりも低い前記第２の通信周波数帯域では、前記第１のアンテナ素子と前記第２のアンテナ素子とが共にループアンテナとして動作し、前記第１の通信周波数帯域よりも低く前記第２の通信周波数帯域とは異なる前記第３の通信周波数帯域では、前記第２のアンテナ素子が第２のモノポールアンテナとして動作する。
【００１２】
この構成により、複数の無線通信アプリケーションを同時に動作させることができる小型なアンテナ装置を提供することができる。また、アンテナ素子の個数以上の複数の無線通信アプリケーションを同時に動作させることができる小型なアンテナ装置を提供することができる。さらに、周波数帯毎に異なるアンテナ構成として通信を行うことが可能である。
【００２１】
また、本発明のアンテナ装置は、前記第３の通信周波数帯域が、前記第１の通信周波数帯域に等しい構成としている。
【００２２】
この構成により、第１の通信周波数帯域では第１のアンテナ素子および第２のアンテナ素子がそれぞれモノポールアンテナとして動作し、第２の通信周波数帯域では第１のアンテナ素子が第２のアンテナ素子と共にループアンテナとして動作するため、複数の無線通信アプリケーションを同時に動作させることができる小型なアンテナ装置において、第１の周波数帯域ではダイバーシチ構成とすることができる。
【００２３】
また、本発明のアンテナ装置は、前記第１のリアクタンス回路が、可変キャパシタを有する構成としている。
【００２４】
この構成により、複数の無線通信アプリケーションを同時に動作させることができる小型なアンテナ装置において、例えば、ある無線通信アプリケーションの使用チャネルに応じて高いアンテナ性能を得ることができる。
【００２５】
また、本発明のアンテナ装置は、前記第１のリアクタンス回路が、複数のリアクタンス素子を有し、前記複数の通信周波数帯域の中で使用する周波数に応じて前記複数のリアクタンス素子から選択される構成としている。
【００２６】
この構成により、複数の無線通信アプリケーションを同時に動作させることができる小型なアンテナ装置において、例えば、ある無線通信アプリケーションの使用チャネルに応じて高いアンテナ性能を得ることができる。
【００２７】
また、本発明の第１の携帯無線機は、上記いずれかのアンテナ装置を備える構成を有している。
【００２８】
この構成により、複数の無線通信アプリケーションを同時に動作させることができる小型な携帯無線機を提供することができる。
【発明の効果】
【００２９】
本発明によれば、複数の無線通信アプリケーションを同時に動作させることができる小型なアンテナ装置、及びこれを用いた携帯無線機を提供することができる。
【発明を実施するための最良の形態】
【００３０】
以下、本発明の実施形態のアンテナ装置および携帯無線機について、図面を用いて説明する。
【００３１】
（第１の実施形態）
図１は本発明の第１の実施形態に係るアンテナ装置１の構成の一例を示す図である。ここでは、アンテナ装置１が、例えば、第１の通信周波数帯域としてＢｌｕｅｔｏｏｔｈの２．４ＧＨｚ帯、第２の通信周波数帯域としてセキュリティキーシステムの４００ＭＨｚ帯の通信周波数帯域に対応するものとして説明するが、これ以外の周波数帯域に対応させてもよい。
【００３２】
アンテナ装置１は、第１のアンテナ素子１１と第２のアンテナ素子１２と、第１のリアクタンス回路１３と第２のリアクタンス回路１４と、共用器（または切替回路）１５と、２．４ＧＨｚ帯の無線部１６と４００ＭＨｚ帯の無線部１９とを有して構成される。なお、符号２３は、接地電位を持つグランドパターンであり、例えば回路基板上の導体パターンで構成されている。
【００３３】
第２のアンテナ素子１２の一端は、第１のリアクタンス回路１３を介して接地される。第１のアンテナ素子１１の一端は、第２のリアクタンス回路１４を介して第２のアンテナ素子１２の他端と接続される。第１のアンテナ素子１１の他端は、無線部１６および無線部１９に共用器（または切替回路）１５を介して通電可能に接続して構成される。
【００３４】
共用器１５は、第１のアンテナ素子１１と無線部１６とが接続されるポート間の２．４ＧＨｚ帯の通過損失が小さく、４００ＭＨｚ帯ではアイソレーションが高くなるように設定される。また、第１のアンテナ素子１１と無線部１９とが接続されるポート間の４００ＭＨｚ帯の通過損失が小さく、２．４ＧＨｚ帯ではアイソレーションが高くなるように設定される。また、無線部１６と無線部１９とが接続されるポート間はアイソレーションが高くなるように設定される。
【００３５】
第２のリアクタンス回路１４は、第１のアンテナ素子１１の一端と第２のアンテナ素子１２の他端に接続されており、図２は、その具体的な一例を示した図である。同図（Ａ）はインダクタ１４Ａ、同図（Ｂ）はインダクタ１４Ａとキャパシタ１４Ｂの並列共振回路である。インダクタ１４Ａのインダクタンスおよびキャパシタ１４Ｂのキャパシタンスは、２．４ＧＨｚ帯において十分高いインピーダンスを有するとともに、４００ＭＨｚ帯においては十分低いインピーダンスを有するように設定される。
【００３６】
このとき、第１のアンテナ素子１１と第２のアンテナ素子１２は、２．４ＧＨｚ帯では第２のリアクタンス回路１４によって高周波的に遮断され、４００ＭＨｚ帯では第２のリアクタンス回路１４を介して高周波的に導通される。
【００３７】
第１のアンテナ素子１１は、２．４ＧＨｚ帯において４分の１波長程度の電気長に設定される。
【００３８】
第１のリアクタンス回路１３は、例えばキャパシタ１３であって、そのキャパシタンスは第２のアンテナ素子１２の電気長に応じて設定される。具体的には、第１のアンテナ素子１１、第２のリアクタンス回路１４、第２のアンテナ素子１２およびグランドパターン２３からなるループ状の全電気長で決まるインダクタンスと、キャパシタ１３のキャパシタンスとで４００ＭＨｚ帯の共振が得られるように設定される。
【００３９】
次に、アンテナ装置１の動作について説明する。
アンテナ装置１では、第１のアンテナ素子１１は、２．４ＧＨｚ帯においてはモノポールアンテナとして動作する。
【００４０】
また、アンテナ装置１では、第１のアンテナ素子１１、第２のリアクタンス回路１４、第２のアンテナ素子１２、グランドパターン２３および同調容量としてのキャパシタ１３によって、４００ＭＨｚにおいてはループアンテナとして動作する。
【００４１】
また、アンテナ装置１では、共用器１５によって、例えば２．４ＧＨｚ帯のＢｌｕｅｔｏｏｔｈと、４００ＭＨｚ帯のセキュリティキーシステムを同時に動作させることができる。
【００４２】
なお、第１のアンテナ素子１１や第２のアンテナ素子１２とグランドパターン２３との間隔を極力離すように構成することが、アンテナ性能上望ましい。これにより、高い放射抵抗を得ることができ、高い放射効率を得ることができる。また、ループ開口面はグランドパターン２３の面に対して直交することがアンテナ性能上望ましい。これにより、高い放射抵抗を得ることができ、高い放射効率を得ることができる。
【００４３】
このように、アンテナ装置１によれば、第１の通信周波数帯域では第１のアンテナ素子がモノポールアンテナとして動作し、第１の通信周波数帯域よりも低い第２の通信周波数帯域では第１のアンテナ素子が第２のアンテナ素子と共にループアンテナとして動作するため、複数の無線通信アプリケーションを同時に動作させることができる小型なアンテナ装置を提供することができる。
【００４４】
なお、本実施形態では、第１の通信周波数帯域が２．４ＧＨｚ帯、第２の通信周波数帯域が４００ＭＨｚ帯の場合について述べたが、各通信周波数帯域は上記に限るものではなく、第２の通信周波数帯域が第１の通信周波数帯域よりも低い周波数帯域であれば、第２のリアクタンス回路１４の周波数特性を適宜設定することによって同様の効果が得られる。
【００４５】
また、第１のアンテナ素子１１および第２のアンテナ素子１２の形状は直線状に限られるものではなく、例えば、Ｌ字形状、ミアンダ形状あるいは適宜の曲線形状であってもよく、またグランドパターン２３と同一平面上に形成する必要もない。
【００４６】
また、上記では無線部１６をＢｌｕｔｏｏｔｈ用の２．４ＧＨｚ帯の無線部として説明したが、ワイヤレスＬＡＮ用の２．４ＧＨｚ帯の無線部であってもよい。また、上記では無線部１９をセキュリティキーシステム用の４００ＭＨｚ帯の無線部として説明したが、デジタルテレビ放送（ＤＴＶ）用の４００ＭＨｚ帯の無線部であってもよい。
【００４７】
さらに、図３に示すアンテナ装置２のように、Ｂｌｕｅｔｏｏｔｈの２．４ＧＨｚ帯の無線部１６と、ワイヤレスＬＡＮの２．４ＧＨｚ帯の無線部１７をＳＰＤＴ（Ｓｉｎｇｌｅ  Ｐｏｌｅ  Ｄｏｕｂｌｅ  Ｔｈｒｏｗ）スイッチなどの切替回路１８を介して共用器１５に接続する構成とすれば、２．４ＧＨｚ帯のＢｌｕｅｔｏｏｔｈまたはワイヤレスＬＡＮのいずれか一方（通信制御装置からの制御信号に基づいて切替）と、４００ＭＨｚ帯のセキュリティキーシステムを同時に動作させることができる。
【００４８】
また、図６に示すアンテナ装置２Ｂのように、Ｂｌｕｅｔｏｏｔｈの２．４ＧＨｚ帯の無線部１６とワイヤレスＬＡＮの２．４ＧＨｚ帯の無線部１７、セキュアの４００ＭＨｚ帯の無線部１９とＤＴＶの４００ＭＨｚの無線部２０をそれぞれＳＰＤＴなどの切替回路１８を介して共用器１５に接続する構成とすれば、２．４ＧＨｚ帯のＢｌｕｅｔｏｏｔｈまたはワイヤレスＬＡＮのいずれか一方（通信制御装置からの制御信号に基づいて切替）と、４００ＭＨｚ帯のセキュリティキーシステムまたはデジタルテレビ放送システムのいずれか一方（通信制御装置からの制御信号に基づいて切替）を同時に動作させることができる。
【００４９】
（第２の実施形態）
次に、本発明の第２の実施形態に係るアンテナ装置３について説明する。図４はアンテナ装置３の構成の一例を示す図である。ここでは、アンテナ装置３が、例えば、第１の通信周波数帯域としてＢｌｕｅｔｏｏｔｈおよびワイヤレスＬＡＮの２．４ＧＨｚ帯、第２の通信周波数帯域としてセキュリティキーシステムの４００ＭＨｚ帯の通信周波数帯域に対応するものとして説明するが、これ以外の周波数帯域に対応させてもよい。尚、アンテナ装置３において、アンテナ装置２と同一の構成要素については、同一の符号を付して説明を省略または簡略化する。
【００５０】
アンテナ装置３は、第１のアンテナ素子１１と第２のアンテナ素子１２と、第１のリアクタンス回路１３と第２のリアクタンス回路１４と、共用器（または切替回路）１５と、Ｂｌｕｅｔｏｏｔｈの２．４ＧＨｚ帯の無線部１６と、ワイヤレスＬＡＮの２．４ＧＨｚ帯の無線部１７と、切替回路１８と、４００ＭＨｚ帯の無線部１９と、共用器（または切替回路）２２とを有して構成される。なお、符号２３は、接地電位を持つグランドパターンであり、例えば回路基板上の導体パターンで構成されている。
【００５１】
無線部１７は、ダイバーシチに対応した無線部であって、その２つのアンテナポートの一方はアンテナ装置２と同様に切替回路１８および共用器１５を介して第１のアンテナ素子１１に接続される。
【００５２】
また、共用器２２によって、４００ＭＨｚ帯においては、第２のアンテナ素子１２の一端側が第１のリアクタンス回路１３の接地される側とは異なる側の一端側に通電可能に接続され、２．４ＧＨｚ帯においては、第２のアンテナ素子１２の一端側が無線部１７の他方のアンテナポートに接続される。共用器２２は、第２のアンテナ素子１２の一端側、第１のリアクタンス回路１３の一端側、無線部１７の他方のアンテナポートに接続される。
【００５３】
共用器２２は、第２のアンテナ素子１２と無線部１７の他方のアンテナポートとが接続されるポート間の２．４ＧＨｚ帯の通過損失が小さく、４００ＭＨｚ帯ではアイソレーションが高くなるように設定される。また、第２のアンテナ素子１２と第１のリアクタンス回路１３とが接続されるポート間の４００ＭＨｚ帯の通過損失が小さく、２．４ＧＨｚ帯ではアイソレーションが高くなるように設定される。また、無線部１７の他方のアンテナポートと第１のリアクタンス回路１３とが接続されるポート間はアイソレーションが高くなるように設定される。
【００５４】
第２のアンテナ素子１２は、第１のアンテナ素子と同様に２．４ＧＨｚ帯において４分の１波長程度の電気長に設定する。
【００５５】
次に、アンテナ装置３について、その動作を説明する。
アンテナ装置３では、第１のアンテナ素子１１は、ＢｌｕｅｔｏｏｔｈまたはワイヤレスＬＡＮの２．４ＧＨｚ帯においてはモノポールアンテナとして動作する。また、第２のアンテナ素子１２は、ワイヤレスＬＡＮの２．４ＧＨｚ帯においてもモノポールアンテナとして動作するため、ダイバーシチ構成とすることができる。
【００５６】
また、アンテナ装置３では、第１のアンテナ素子１１、第２のリアクタンス回路１４、第２のアンテナ素子１２、グランドパターン２３および同調容量としてのキャパシタ１３によって、４００ＭＨｚにおいてはループアンテナとして動作する。
【００５７】
また、アンテナ装置３では、共用器１５によって、２．４ＧＨｚ帯のＢｌｕｅｔｏｏｔｈまたはワイヤレスＬＡＮのいずれか一方と、４００ＭＨｚ帯のセキュリティキーシステムを同時に動作させることができる。
【００５８】
このように、アンテナ装置３によれば、第１の通信周波数帯域では第１のアンテナ素子および第２のアンテナ素子がそれぞれモノポールアンテナとして動作し、第２の通信周波数帯域では第１のアンテナ素子が第２のアンテナ素子と共にループアンテナとして動作するため、複数の無線通信アプリケーションを同時に動作させることができる小型なアンテナ装置を提供することができる。さらに、第１の周波数帯域ではダイバーシチ構成とすることができる。
【００５９】
なお、本実施形態では、第１の通信周波数帯域が２．４ＧＨｚ帯、第２の通信周波数帯域が４００ＭＨｚ帯の場合について述べたが、各通信周波数帯域は上記に限るものではなく、第２の通信周波数帯域が第１の通信周波数帯域よりも低い周波数帯域であれば、第２のリアクタンス回路１４の周波数特性を適宜設定することによって同様の効果が得られる。
【００６０】
また、図７に示すアンテナ装置３Ｂのように、Ｂｌｕｅｔｏｏｔｈの２．４ＧＨｚ帯の無線部１６とワイヤレスＬＡＮの２．４ＧＨｚ帯の無線部１７、セキュアの４００ＭＨｚ帯の無線部１９とＤＴＶの４００ＭＨｚの無線部２０をそれぞれＳＰＤＴなどの切替回路１８を介して共用器１５に接続する構成とすれば、２．４ＧＨｚ帯のＢｌｕｅｔｏｏｔｈまたはワイヤレスＬＡＮのいずれか一方（通信制御装置からの制御信号に基づいて切替）と、４００ＭＨｚ帯のセキュリティキーシステムまたはデジタルテレビ放送システムのいずれか一方（通信制御装置からの制御信号に基づいて切替）を同時に動作させることができる。
【００６１】
さらに、アンテナ装置３を変形したアンテナ装置３Ｃについて、図８を参照して以下に説明する。アンテナ装置３Ｃにおいて、アンテナ装置３と同一の構成については、同一の符号を付し、説明を省略または簡略化する。アンテナ装置３Ｃでは、第２のアンテナ素子１２を第１の通信周波数帯域よりも低く第２の通信周波数帯域とは異なる第３の通信周波数帯域における４分の１波長程度の電気長に設定する。また、共用器２２は、第２の通信周波数帯域において、第２のアンテナ素子１２の一端が第１のリアクタンス回路１３の一端に通電可能に接続され、第３の通信周波数帯域において、第３の通信周波数帯域の無線通信システムの電力を送出あるいは受信する無線部１７Ｃに通電可能に接続される。また、第２のリアクタンス回路１４は、第１の通信周波数帯域および第３の通信周波数帯域を遮断し、かつ、第２の通信周波数帯域を通過させる。
【００６２】
アンテナ装置３Ｃによれば、第２のリアクタンス回路１４や共用器２２の周波数特性を適宜設定することによって、第１の通信周波数帯域では第１アンテナ素子がモノポールアンテナとして動作し、第３の通信周波数帯域では第２アンテナ素子がモノポールアンテナとして動作し、第２の通信周波数帯域では第１アンテナ素子と第２のアンテナ素子とが共にループアンテナとして動作するため、アンテナ素子の個数以上の複数の無線通信アプリケーションを同時に動作させることができる小型なアンテナ装置を提供することができる。
【００６３】
（第３の実施形態）
次に、本発明の第３の実施形態に係るアンテナ装置４について説明する。図５はアンテナ装置４の構成の一例を示す図である。ここでは、アンテナ装置４が、例えば、第１の通信周波数帯域としてＢｌｕｅｔｏｏｔｈの２．４ＧＨｚ帯、第２の通信周波数帯域としてテレビジョン放送受信の４７０ＭＨｚ乃至７１０ＭＨｚ帯の通信周波数帯域に対応するものとして説明するが、これ以外の通信周波数帯域に対応させてもよい。尚、アンテナ装置４において、アンテナ装置１と同一の構成要素については、同一の符号を付して説明を省略または簡略化する。
【００６４】
アンテナ装置４は、第１のアンテナ素子１１と第２のアンテナ素子１２と、可変キャパシタ２１と第２のリアクタンス回路１４と、共用器（または切替回路）１５と、２．４ＧＨｚ帯の無線部１６と４００ＭＨｚ帯の無線部１９と、を有して構成される。なお、符号２３は、接地電位を持つグランドパターンであり、例えば回路基板上の導体パターンで構成されている。
【００６５】
可変キャパシタ２１の一端は、第２のアンテナ素子１２の一端に接続され、可変キャパシタ２１の他端は、グランドパターン２３に接地される。
【００６６】
次に、アンテナ装置４の動作について説明する。ここでは、アンテナ装置１との動作の差異を説明する。
【００６７】
アンテナ装置４では、第１のアンテナ素子１１、第２のリアクタンス回路１４、第２のアンテナ素子１２、グランドパターン２３および同調容量としての可変キャパシタ２１によって、４７０ＭＨｚ乃至７１０ＭＨｚ帯においてはループアンテナとして動作する。このループアンテナは、使用する周波数、言い換えれば使用チャンネルに応じて適した同調容量を選択できるため、広帯域にわたって高いアンテナ性能を得ることができる。
【００６８】
このように、アンテナ装置４によれば、複数の無線通信アプリケーションを同時に動作させることができる小型なアンテナ装置において、ある無線通信アプリケーションの使用チャネルに応じて高いアンテナ性能を得ることができる。
【００６９】
なお、可変キャパシタ２１に替えて、値の異なる複数のリアクタンス素子と切替回路を備え、使用する周波数（チャンネル）に応じて複数のリアクタンス値から選択する構成としても同様の効果が得られる。これにより、例えば、デジタルテレビ放送を受信する場合、チャネルに応じてキャパシタンスを変更することが可能となり、より通信特性の良好な状態を維持することができる。
【００７０】
尚、可変キャパシタ２１は、アンテナ装置１の第１のリアクタンス回路１３に限らず、アンテナ素子２および３の第１のリアクタンス回路１３としても適用可能である。
【００７１】
なお、携帯無線機において上記いずれかのアンテナ装置を搭載する位置は、ストレート型の携帯無線機であれば、受話部（スピーカ）近傍となる筐体上端部あるいは送話部（マイク）近傍となる筐体下端部、折畳式の携帯無線機にあっては筐体上端部あるいは筐体下端部の他にヒンジ部近傍とするのが一般的である。
【００７２】
なお、本発明は上述した実施形態に何ら限定されるものではなく、その要旨を逸脱しない範囲において種々の形態で実施し得るものである。
【産業上の利用可能性】
【００７３】
本発明は、小型で、かつ複数の無線通信アプリケーションを同時に動作でき、かつ高いアンテナ性能を発揮できるアンテナ装置および携帯無線機等として有用である。
【図面の簡単な説明】
【００７４】
【図１】本発明の第１の実施形態に係るアンテナ装置の構成の一例を示す図
【図２】本発明の第１の実施形態に係るアンテナ装置の第２のリアクタンス回路の具体例を示す説明図
【図３】本発明の第１の実施形態に係る別のアンテナ装置の構成の一例を示す図
【図４】本発明の第２の実施形態に係るアンテナ装置の構成の一例を示す図
【図５】本発明の第３の実施形態に係るアンテナ装置の構成の一例を示す図
【図６】本発明の第１の実施形態に係る別のアンテナ装置の構成の一例を示す図
【図７】本発明の第２の実施形態に係る別のアンテナ装置の構成の一例を示す図
【図８】本発明の第２の実施形態に係る別のアンテナ装置の構成の一例を示す図
【符号の説明】
【００７５】
１、２、２Ｂ、３、３Ｂ、３Ｃ、４  アンテナ装置
１１  第１のアンテナ素子
１２  第２のアンテナ素子
１３  第１のリアクタンス回路
１４  第２のリアクタンス回路
１５、２２  共用器
１６  第１の通信周波数帯域の無線部
１７  第１の通信周波数帯域の無線部
１７Ｃ  第３の通信周波数帯域の無線部
１８  切替回路
１９、２０  第２の通信周波数帯域の無線部
２１  可変キャパシタ
２３  グランドパターン
【図１】
0004918428.tif 000002
【図２】
0004918428.tif 000003
【図３】
0004918428.tif 000004
【図４】
0004918428.tif 000005
【図５】
0004918428.tif 000006
【図６】
0004918428.tif 000007
【図７】
0004918428.tif 000008
【図８】
0004918428.tif 000009